(57)【要約】【課題】引戸自閉装置において、適用する引戸の種類や構造に制限を受けることなく、紐状線材に弛みが発生すると、その弛みを即座に且つ確実に除去する。【解決手段】引戸自閉装置Ａは、紐状線材２９を巻き取るリール３０と、リールを紐状線材の巻取方向Ｚに回転付勢する渦巻ばね３５を部品取付手段２５に組み付けてゼンマイユニットＰを形成し、紐状線材を引き出して先端を縦枠１０に係止した状態で、ゼンマイユニットを、引戸Ｄの上端に固定したガイド部材Ｇのガイドレール５５に摺動自在に係合させる一方、渦巻ばね３５の紐状線材を巻き取る回転付勢力よりばね付勢力の弱い弛み取りばねＳの一端をガイド部材に掛け止め、他端をゼンマイユニットに掛け止めてゼンマイユニットを引戸の開方向に常時付勢し、引戸の自閉時にリールに巻き取る紐状線材に弛みが発生すると、ゼンマイユニットを引戸の開方向に摺動させて弛みを取る。【選択図】          図１
2010037745.tif 000002
【特許請求の範囲】
【請求項１】
引戸を開方向へ手で引いて途中の開位置まで摺動させて後、前記引戸から手を離すと、該引戸を紐状線材で引っ張り、閉方向へ摺動させて自閉する引戸自閉装置において
前記紐状線材を巻装して回転自在に枢支したリールと、該リールを前記紐状線材の巻取方向に回転付勢する渦巻ばねを、部品取付手段に組み付けてゼンマイユニットを形成し、
前記引戸の上端に、前記紐状線材を前記リールから前記引戸の閉方向に引き出して先端を前記引戸の支持体に係止した状態で、前記ゼンマイユニットを係合させて前記引戸の開閉方向に摺動自在に案内する、ガイド部材を固定し、
該ガイド部材に、前記渦巻ばねの前記紐状線材を巻き取る付勢力よりばね付勢力の弱い弛み取りばねの一端を掛け止め、他端を前記ゼンマイユニットに掛け止めて該ゼンマイユニットを前記引戸の開方向へ常時付勢し、前記引戸を自閉するときに前記リールに巻き取る前記紐状線材に弛みが発生すると、前記ゼンマイユニットを前記引戸の開方向に摺動させて弛みを除去してなることを特徴とする、引戸自閉装置。
【請求項２】
前記ガイド部材に、前記ゼンマイユニットを記引戸の開閉方向に案内するガイドレールを設ける一方、前記部品取付手段に、前記リールと前記渦巻ばねを収納する取付ケースを備え、該取付ケースに前記ガイドレールと係合するガイド溝を設けてなることを特徴とする、請求項１に記載の引戸自閉装置。
【発明の詳細な説明】
【技術分野】
【０００１】
本発明は、引戸を開方向に手で引いて途中の開位置まで摺動させて後、引戸から手を離すと、引戸をワイヤー等の紐状線材で引っ張り、閉方向へ自動的に摺動させて閉止する引戸自閉装置に関する。
【背景技術】
【０００２】
従来、この種の引戸自閉装置は、ワイヤーを外周のプーリ部に巻装したワイヤーリールを枢軸で回転自在に軸支し、ワイヤーリールには、プーリ部に内装した渦巻ばね（ゼンマイ）の一端を枢軸に、他端をプーリ部に掛け止めてワイヤーの巻取方向に回転する付勢力を常時付与すると共に、枢軸の一端に駆動回転ギヤを連結する一方、駆動回転ギヤに、ロータリーダンパの従動回転ギヤを噛み合わせて装置本体を構成し、装置本体を、例えば引戸を吊り込む戸枠等の支持体に組み付ける一方、ワイヤーをワイヤーリールから引き出して先端を引戸側に掛け止めた構造になっている。
【０００３】
そこで、従来の引戸自閉装置では、引戸を開方向へ手で引くと、渦巻ばねに抗してワイヤーが引き出され、引戸は開位置へ摺動して開く一方、開く途中で引戸から手を離すと、渦巻ばねの回転付勢力でワイヤーを巻き取り、その巻き取り力で引戸を引っ張り、閉方向へ摺動させて自閉する。また、自閉時に、ワイヤーを巻き取る方向の回転が駆動回転ギヤと従動回転ギヤの噛み合いを介してロータリーダンパ内のロータに伝達されると、ロータリーダンパに制動トルクを発生し、ワイヤーリールがブレーキの利いた負荷状態で回転し、それに従って、引戸は減速しながら、ゆっくり自閉するようになっている（特許文献１参照）。
【０００４】
しかし、従来の引戸自閉装置では、自閉時に、渦巻ばねの回転付勢力およびロータリーダンパの制動力に打ち勝つほどの強い力で、引戸が閉方向に強引に引かれると、この引戸の急激な動きに追従してワイヤーを巻き取ることができず、そのため、ワイヤーの引き出し側に弛みを生じてしまうことがある。すると、このワイヤーの弛みを悪用して悪戯するなど、ワイヤーの弛みが原因で様々な不都合な事態が発生するという問題があった。
【０００５】
そこで、出願人は、自閉時にワイヤーに弛みが発生すると、その弛みを除去する引戸自閉装置を、新たに提案している。この引戸自閉装置は、ワイヤーを巻き取るワイヤーリールと、ワイヤーリールをワイヤーの巻取方向に回転付勢する渦巻ばねと、自閉時にワイヤーリールの回転を減速して引戸に制動力を与えるロータリーダンパとを、ゼンマイケースに取り付けて重りユニットを組み立て、引戸には、重りユニットを挿入するガイド穴を上端面から下向きに穿設する一方、ワイヤーをワイヤーリールから引き出して先端を引戸レールに掛け止めて、重りユニットを吊り下げ状態でガイド穴内に昇降可能に収納した構造になっている（重りユニットは、それに働く重力を渦巻ばねの回転付勢力より小さく設定している）。
【０００６】
従って、この従来の引戸自閉装置は、自閉時に、引戸が渦巻ばねの回転付勢力やロータリーダンパの制動力に抗して強い力で閉方向へ強引に引かれると、この引戸の急激な動きに追従してワイヤーを巻き取ることができず、ワイヤーの引き出し側に弛みを生じるが、そのとき、重りユニットが、いま発生したワイヤーの弛みの長さ分だけガイド穴の深さ方向へ下降し、即座にワイヤーを元の引っ張り状態に戻して弛みが除去されるようになっている。
【特許文献１】特開２０００−１３０００４号公報
【発明の開示】
【発明が解決しようとする課題】
【０００７】
ところが、従来の弛み取り式引戸自閉装置では、ワイヤーが弛むと、重りユニットが下降して重力で弛みを取るようにするが、引戸周りの見栄えを考慮し、重りユニットは、引戸に穿設したガイド穴に昇降可能な吊り下げ状態で内蔵している。従って、従来の弛み取り式引戸自閉装置は、上述のようなガイド穴を穿設できない、薄型の引戸、材質がガラスや金属の引戸、窓付き構造の引戸等には適用できず、適用できる引戸の種類や構造に制限があるという課題があった。
【０００８】
本発明の目的は、そのように適用する引戸の種類や構造に制限を受けることなく、ワイヤー等の紐状線材に弛みが発生すると、その弛みを即座に且つ確実に除去する引戸自閉装置を提供することにある。
【課題を解決するための手段】
【０００９】
そこで、上記した本発明の目的を達成すべく、請求項１に記載の発明は、たとえば以下に示す図示実施の形態のとおり、引戸Ｄを開方向Ｘへ手で引いて途中の開位置まで摺動させて後、前記引戸Ｄから手を離すと、該引戸Ｄを紐状線材２９で引っ張り、閉方向Ｙへ摺動させて自閉する引戸自閉装置Ａにおいて、前記紐状線材２９を巻装して回転自在に枢支したリール３０と、該リール３０を前記紐状線材２９の巻取方向Ｚに回転付勢する渦巻ばね３５を、部品取付手段２５に組み付けてゼンマイユニットＰを形成し、前記引戸Ｄの上端に、前記紐状線材２９を前記リール３０から引き出して先端を戸先側の縦枠１０など引戸Ｄの支持体に係止した状態で、前記ゼンマイユニットＰを係合させて前記引戸Ｄの開閉方向Ｘ・Ｙに摺動自在に案内する、ガイド部材Ｇを固定し、該ガイド部材Ｇに、前記渦巻ばね３５の前記紐状線材２９を巻き取る付勢力よりばね付勢力の弱い弛み取りばねＳの一端を掛け止め、他端を前記ゼンマイユニットＰに掛け止めて該ゼンマイユニットを前記引戸Ｄの開方向Ｘに常時付勢し、前記引戸を自閉するときに前記リール３０に巻き取る前記紐状線材２９に弛みが発生すると、前記ゼンマイユニットＰを前記引戸Ｄの開方向Ｘに摺動させて弛みを除去してなることを特徴とする。
【００１０】
請求項２に記載の発明は、請求項１に記載の引戸自閉装置Ａにおいて、たとえば以下に示す図示実施の形態のとおり、前記ガイド部材Ｇに、前記ゼンマイユニットＰを記引戸Ｄの開閉方向Ｘ・Ｙに案内するガイドレール５５を設ける一方、前記部品取付手段２５に、前記リールと前記渦巻ばね３５を収納する取付ケース２７を備え、該取付ケース２７に前記ガイドレール５５と係合するガイド溝３４を設けてなることを特徴とする。
【発明の効果】
【００１１】
請求項１に記載の発明によれば、引戸を、いったん開いた後、渦巻ばねの回転付勢力に抗して強い力で閉方向へ強引に引かれると、この引戸の急激な動きに追従して紐状線材をリールに巻き取れず、瞬時、紐状線材の引き出し側に弛みを生じるが、その瞬時、紐状線材が弛み状態にあるので、渦巻ばねのばね付勢力が利かない一方で、渦巻ばねよりばね付勢力は弱いが、弛み取りばねのばね付勢力が働いてゼンマイユニットをガイド部材の案内で開方向に摺動し、即座に紐状線材を元の引っ張り状態に戻して弛みを確実に除去することができる。
【００１２】
しかも、請求項１に記載の発明は、紐状線材に弛みが発生したときに重りユニットを下降させて重力で弛みを取るのではなく、弛み取りばねのばね付勢力でゼンマイユニットを紐状線材が張る引戸の開方向へ摺動させて弛みを取る構造であることから、適用する引戸が、従来のように引戸周りの見栄えを考えて重りユニットを覆い隠すガイド穴を穿設できる木製で厚肉である必要がなく、厚さの薄い引戸でも、材質がガラスや金属の引戸でもよく、構造が特殊な窓付き引戸等であってもよいなど、種類や構造に関係なく各種の引戸に広く適用することができる。
【００１３】
請求項２に記載の発明によれば、ゼンマイユニットを摺動させるとき、ガイド溝に係合させたガイド部材のガイドレールでゼンマイユニットを引戸の開閉方向に案内し、ガタ付かせることなくスムーズに摺動させることができる。
【発明を実施するための最良の形態】
【００１４】
以下、図面を参照しつつ、本発明の実施の最良形態について説明する。
【００１５】
図１は本発明の一例の引戸自閉装置を付設した引戸構造体を引戸の開状態で示す正面図、図２は引戸構造体の要部の分解斜視図、図３は引戸構造体の上部側の縦断面図である。
【００１６】
図示例の引戸構造体は、例えば病室の出入口に設置するもので、戸枠Ｆ、戸袋壁Ｗ、引戸Ｄ、引戸Ｄを開閉方向Ｘ・Ｙに摺動させるスライドレールＬを備える。戸枠Ｆは、磁性体の金属製矩形枠体で、引戸Ｄの開閉方向左右に立設した縦枠１０・１１と、天井側の上枠１２とからなる。戸袋壁Ｗは，戸先側縦枠１０との間に開口部Ｃをあけて立設し、図１中手前側の壁面下部に、開閉時に引戸Ｄの横振れを防止するガイドローラ１３を枢支して上向きに突設してなる。
【００１７】
図示引戸Ｄは、比較的重量のあるガラス製で横長な矩形板状をなし、上端面１４において、戸先と戸尻寄りに一対のコ型レール取付体１５・１６をボルトで固定して立設してなる。一方、下端面には、吊り込み時に戸袋壁Ｗ側の横振れ防止用ガイドローラ１３を係合させるガイド溝１７を長さ方向に凹設している。そして、引戸Ｄには、戸先側にバーハンドル１８を縦向きに付設してなる。なお、本発明を適用する引戸Ｄは、木製、樹脂製、金属製など材質を問わず、扉厚の薄い板状のものなど扉厚を問わず、また、窓付きなど特殊構造のものであってもよい。
【００１８】
スライドレールＬは、金属製で、図３に示すように、アウターレール１９、インナーレール２０およびボールリテーナ２１を備えてなる。アウターレール１９は、平らな取付板部１９ａの両側縁を互いに向き合う内向きに湾曲させてボールガイド部１９ｂを形成してなる。インナーレール２０は、アウターレール１９の長さに所定の開閉ストロークの距離を差し引いた長さサイズで、中央で断面略コ形状に屈曲させた取付部２０ａの両側縁を互いに離れる外向きに湾曲させてボールガイド部２０ｂを形成してなる。リテーナ２１は、平行なリテーナ本体部２１ａにコ状に屈曲させた多数の支持片部２１ｂを連設し、各支持片部２１ｂにそれぞれ保持穴を形成し、それら保持穴にそれぞれ金属製の小径ボール２２を嵌着して転動自在に保持してなる。
【００１９】
スライドレールＬは、リテーナ２１を、アウターレール１９に対し、保持したボール２２を左右のボールガイド部１９ｂに係合して嵌入し、次いで、インナーレール２０を、左右のボールガイド部２０ｂをボール２２に係合してリテーナ２１内に嵌入し、リテーナ２１を介してアウターレール１９に相対的に摺動可能に嵌合して組み立てる。そして、インナーレール２０を摺動させると、ボール２２が両レール１９・２０間で転動し、それらボール２２に押されてリテーナ２１がアウターレール１９に対して所定ストロークの略１／２分だけ移動すると同時に、一方で、インナーレール２０がアウターレール１９に対し所定ストロークだけ相対移動するように設定されている。
【００２０】
そこで、引戸構造体では、このスライドレールＬを横向きに寝かせて配置し、インナーレール２０の取板部２０ａを、引戸Ｄ上のレール取付体１５・１６の上フランジ部１５ａ・１６ａにボルト２３で固定する一方、アウターレール１９の取付板部１９ａを、上枠１２にビス２４で固定し、引戸Ｄを、上枠１２にスライドレールＬを介して開閉方向Ｘ・Ｙに摺動自在に上吊りする構造になっている（図７参照）。なお、図３・図７中符号３６は、上吊りした引戸Ｄと上枠１２と間を覆う化粧用幕板である。
【００２１】
従って、引戸構造体では、図１に示すバーハンドル１８を手で持って、引戸Ｄを開方向Ｘへ引いて開位置に摺動させてから、開く途中で手を離すと、本発明の引戸自閉装置Ａが作動し、引戸Ｄを、途中の開位置からスライドレールＬで閉方向Ｙへ自動的に摺動させて開口部Ｃを閉止するようになっている。
【００２２】
引戸自閉装置Ａは、図４に示すように、ゼンマイユニットＰと、ガイド部材Ｇと、紐状線材２９の弛み取りばねＳと、エアブレーキＢを備えてなる。なお、図示例では、紐状線材２９として樹脂製のワイヤーを用いるが、本発明における紐状線材は、リール３０に巻き取り可能な紐状で引戸Ｄの引張材として使用可能な線材であれば、例えば金属製のワイヤーでもよく、また、ワイヤー類に限らず、各種の紐・ロープ・ケーブル・コード等を含むものとする。
【００２３】
ゼンマイユニットＰは、図５に示すように、部品取付手段２５と、紐状線材２９を巻き取るリール３０と、リール３０を回転付勢する渦巻ばね３５と、リール３０の回転を減速するロータリーダンパ４０とを備える。
【００２４】
部品取付手段２５は、取付フレーム２６と取付ケース２７とからなる。取付フレーム２６は、円形窓２８を開けた矩形な窓板部２６ａと、図５中上縁側にばね用フランジ部２６ｂを有した長尺なアーム部２６ｃとからなり、アーム部２６ｃの先端にスタッド３７を嵌着して横向きに突設してなる。一方、取付ケース２７は、図６に示すように、ケース本体３１と、矩形板状の蓋板３２とからなる。ケース本体３１は、やや扁平で略矩形な収納箱部３１ａと、収納箱部３１ａから板状に延びるダンパ取付板部３１ｂとを有し、収納箱部３１ａに蓋板３２を被せて箱形に組み立てる。収納箱部３１ａには、ダンパ取付板部３１ｂと反対側の前板部３１ｃに紐状線材２９の通し穴３３を設け、向い合う側板部３１ｄに長さ方向に沿って細いガイド溝３４を設けてなる。
【００２５】
リール３０は、同軸上にリング状のプーリ部３０ａと駆動ギヤ部３０ｂとを有し、プーリ部３０ａの外周に紐状線材２９を巻装する一方、プーリ部３０ａ内に渦巻ばね３５を内装し、回転中心の調整軸３９で回転自在に枢支して収納箱部３１ａ内に収納してなる。そして、紐状線材２９を巻装したプーリ部３０ａから先端側を繰り出して通し穴３３から外部に引き出している。
【００２６】
渦巻ばね３５は、一端をばね力を調整する調整軸３９に掛け止め、他端をリール３０に掛け止めて、リール３０に対し、紐状線材２９を巻き取る方向Ｚに回転させる付勢力を常時付与している。駆動ギヤ部３０ｂは、前板部３１ｃと反対側に開けた開口３８から、図５に示すように、外周の歯部を外部へ臨ませた状態で、リール３０と同軸に調整軸３９で枢支してなる。
【００２７】
ロータリーダンパ４０は、図６に示すように、外周面に一対の取付突片４３ａを有した胴筒４３と、ロータ軸４４を中心として回転自在に胴筒４３内に収納したロータ（図示省略）を備え、ロータの外周と胴筒４３の内周間の隙間に、粘性オイルを充填して胴筒４３内に密封し、ロータが回転するとオイルの粘性抵抗により制動トルクが発生する構造になっている。また、ロータリーダンパ４０は、ロータ軸４４の先端軸部４４ａに、従動回転ギヤ４５を、ワンウェイクラッチ４６を介してロータと一体回転可能に連結し、従動回転ギヤ４５が、紐状線材２９を巻き取る一方向に回転したときに制動トルクが発生する構造になっている。
【００２８】
そこで、ゼンマイユニットＰは，図５に示すように、ロータリーダンパ４０の従動回転ギヤ４５をリール３０の駆動ギヤ部３０ｂに噛み合わせた状態で、取付突片４３ａをダンパ取付板部３１ｂにビス止めして取付ケース２７にロータリーダンパ４０を組み付けてから、ケース本体３１に蓋板３２を被せてねじ止めし、リール３０と、渦巻ばね３５と、ロータリーダンパ４０とを取付ケース２７に組み込んで一体化する。更に、ケース本体３１のダンパ取付板部３１ｂ側の板面に窓板部２６ａを重ねて、取付ケース２７に取付フレーム２６をビス止めし、図４に示すように、調整軸３９の先端割溝３９ａが円形窓２８から外部に臨んだ状態で、単体のゼンマイユニットＰとして組み立ててなる。なお、取付ケース２７には、紐状線材２９の通し穴３３の開いた前板部３１ｃに板状の緩衝マット４８を貼着している。
【００２９】
ガイド部材Ｇは、サポート板４９とガイドケース５０とを備えてなる。サポート板４９は、図４中横長で長尺な金属板を用い、中間の長手な板部４９ａの下縁側を一部手前に折り曲げてばね用フランジ部４９ｂを形成し、中間板部４９ａの長さ方向片側（図４中左側）には、引戸Ｄ上のレール取付体１５に合わせて図中手前に若干凸状に曲げて固定アーム部４９ｃを形成する一方、他側（図４中右側）には、反対に図４中奥側に曲げて支持板部４９ｄを形成してなる。更に、中間板部４９ａの支持板部４９ｄ寄りには、Ｌ板片状のストッパ５１をビス止めすると共に、ストッパ５１の下側にスタッド５２を嵌着して横向きに突設してなる。
【００３０】
ガイドケース５０は、金属板を断面コ形のチャンネル状に曲げ成形し、対向する曲げ板部５０ａ・５０ａには、ゼンマイユニットＰのガイド溝３４に対応させて、それぞれ長さ方向に細長いリブ状のガイドレール５５を設け、本体板部５０ｂの片側端部に、ウレタン製の緩衝マット５６を固着したエンドブロック５７を、緩衝マット５６側を内向きにビス止めしてなる。そこで、ガイド部材Ｇは、ガイドケース５０をサポート板４９の支持板部４９ｄにビスで固定して組み立てられてなる。
【００３１】
弛み取りばねＳは、図示例では引張コイルばねで、渦巻ばね３５の紐状線材２９を巻き取る付勢力より、引っ張りばね付勢力を小さく設定してなる。
【００３２】
エアブレーキＢは、シリンダ５８内に直線往復動可能に配設したピストンが押し込まれると、そのときに発生する圧縮空気によって制動力を働かす空気制動器で、シリンダ５８内から突出させたピストンロッド５９の先端に突当盤６０を固着し、その突当盤６０の前面に磁石６０ａを付設してなる。
【００３３】
そこで、引戸自閉装置Ａは、エアブレーキＢと、ゼンマイユニットＰと、弛み取りばねＳをガイド部材Ｇに組み付ける。ゼンマイユニットＰは、ガイド溝３４にガイドレール５５を係合させてガイドケース５０に直線往復摺動自在に装着し、取付フレーム２６のスタッド３７に弛み取りばねＳの一端に有するフック６１を掛け止める。弛み取りばねＳは、他端に有するフック６２をガイド部材Ｇに突設したスタッド５２に掛け止め、ゼンマイユニットＰをエンドブロック５７側へ引っ張る付勢状態で、図７に示すように、ゼンマイユニットＰをガイド部材Ｇに連結する。エアブレーキＢは、図４に示すように、突当盤６０をゼンマイユニットＰとは反対側に向けて、中間板部４９ａと固定アーム部４９ｃの長手方向に沿ってホルダ６３を介してねじ止めし、図２に示すように引戸自閉装置Ａを組み立ててなる。
【００３４】
さて、こうして組み立てた引戸自閉装置Ａは、ガイド部材Ｇの固定アーム部４９ｃを、戸先側のレール取付体１５に重ね合わせてから、図３に示すように、止めねじ６４でガイド部材Ｇをレール取付体１５に固着して引戸Ｄの上端面１４に搭載する。そのとき、引戸Ｄを戸先側の閉方向に引き寄せて、図８に示すように、エアブレーキＢの突当盤６０を戸先側縦枠１０に突き当て、磁石６０ａで引戸Ｄを戸先側縦枠１０に吸着して全閉状態で保持する一方、図９に示すように、紐状線材２９を渦巻ばね３５の回転付勢力に抗し引っ張ってリール３０から引き出し、先端のフック２９ａを、図８に示すように戸先側縦枠１０に付設した係止具６５に掛け止める。すると、渦巻ばね３５による巻取方向Ｚの回転付勢力が働き、引戸Ｄを閉方向Ｙに引っ張って全閉状態で戸枠Ｆに吊り込んでなる。このとき、引戸自閉装置Ａは、渦巻ばね３５による巻取方向Ｚの回転付勢力により、図８および図９に示すように閉方向Ｙへ引き寄せられるゼンマイユニットＰを、緩衝マット４８を介してガイド部材Ｇのストッパ５１に当てて止め、ガイドケース５０内に留めて位置決め保持すると共に、紐状線材２９を張り渡し状態で保持してなる。
【００３５】
そこで、引戸自閉装置Ａは、いま全閉状態の引戸Ｄを、バーハンドル１８を手で持って、開方向Ｘに引いて摺動させると、それに従い、図１０に示すように、エアブレーキＢのピストンロッド５９がシリンダ５８から引き出され、ピストン６６がシリンダ５８の出口段部５８ａに当たってピストンロッド５９が最長突出状態になったところで、更に開方向Ｘに引戸Ｄを引くと、図１に示すように、ピストンロッド５９の突当盤６０が戸先側縦枠１０から引き剥がされると共に、紐状線材２９が渦巻ばね３５の回転付勢力に抗してリール３０から繰り出され、引戸Ｄは開方向Ｘへ摺動して開口部Ｃを開ける。
【００３６】
一方、開く途中でバーハンドル１８から手を離すと、渦巻ばね３５による巻取方向Ｚの回転付勢力が働き、この回転付勢力で、紐状線材２９をリール３０に巻き取り、この巻き取り力で、引戸Ｄを引いて、途中の開位置から閉方向Ｙへ摺動させて開口部Ｃを自閉する。この自閉時、引戸自閉装置Ａでは、紐状線材２９を巻き取る方向Ｚの回転が、リール３０の駆動ギヤ部３０ｂと従動回転ギヤ４５の噛み合いを介してロータリーダンパ４０内のロータに伝達されると、ロータリーダンパ４０に制動トルクが発生し、リール３０がブレーキの利いた負荷状態で回転し、それに従い、引戸Ｄは、摺動速度を落しながら、ゆっくり閉方向Ｙへ自閉する。
【００３７】
しかる後、引戸自閉装置Ａでは、自閉速度を落しながら引戸Ｄが摺動し、全閉位置に近づいたとき、図１０に示すように、最長突出状態にあるピストンロッド５９の突当盤６０が戸先側縦枠１０に突き当たると、突当盤６０が戸先側縦枠１０に押されてピストン６６がシリンダ５８内深く徐々に押し込まれるが、そのときに圧縮される空気によって制動力を発生し、これによって、引戸Ｄは、全閉直前では、ロータリーダンパ４０に加え、エアブレーキＢの制動力が作用し、一段強くブレーキの利いた負荷状態で減速しながら、更にゆっくり摺動しながら、図８に示すように全閉する。従って、急激に引戸Ｄが閉まって、引戸Ｄと縦枠１０間に、指や手などを挟んで怪我をするようなことを確実に防止することができる。
【００３８】
ところで、引戸自閉装置Ａでは、引戸Ｄを、いったん開いた後に、図１１に示すように、引戸Ｄが渦巻ばね３５の回転付勢力およびロータリーダンパ４０の制動力に抗して強い力で閉方向Ｙへ強引に引かれると、この引戸Ｄの急激な動きに追従して紐状線材２９をリール３０に巻き取ることができず、図１２（Ａ）でも示すように、瞬時、紐状線材２９の引き出し側に弛みを生じる。しかし、引戸自閉装置Ａは、その瞬時、紐状線材２９が弛み状態にあるので、渦巻ばね３５のばね付勢力が利かない一方、渦巻ばね３５よりは弱いが、図１２（Ｂ）に示すように、弛み取りばねＳのばね付勢力が働いてゼンマイユニットＰを引っ張り、いま発生した紐状線材１９の弛みの長さ分だけガイドケース５０の案内で開方向Ｘに摺動し、図１３に示すように、即座に紐状線材２９を元の引っ張り状態に戻して弛みを除去する。従って、引戸自閉装置Ａは、紐状線材２９に弛みがなくなると、渦巻ばね３５の回転付勢力が再び作用し、紐状線材２９をリール３０に巻き取って引戸Ｄを閉方向Ｙへ引っ張りながら、ゆっくり全閉位置へ摺動させて正常に自閉する。
【００３９】
引戸自閉装置Ａは、図１２に示すように、紐状線材２９に弛みを発生すると、紐状線材２９の弛みの長さに応じゼンマイユニットＰを弛み取りばねＳで引っ張って開方向Ｘに摺動させるとき、ゼンマイユニットＰ側のガイド溝３４に係合したガイド部材Ｇ側のガイドレール５５により、ゼンマイユニットＰをガイド部材Ｇで開閉方向Ｘ・Ｙに案内し、ガタ付かせることなくスムーズに摺動させることができる。
【００４０】
なお、上述した図示実施の形態では、スライドレールＬを用いて摺動自在に戸枠Ｆに吊り込んだスライドレール式引戸Ｄに適用した例を示したが、本発明は、戸車を用いて同様に開閉方向に摺動自在に吊り込む戸車式引戸にも、そのまま適用することができるのは勿論である。
【００４１】
以上の図示実施の形態では、引戸Ｄの自閉時に紐状線材２９に弛みを発生すると、弛み取りばねＳでゼンマイユニットＰを引っ張って開方向Ｘに摺動させることにより紐状線材２９の弛みを除去したが、本発明は、弛み取りばねでゼンマイユニットを押して開方向に摺動させることにより紐状線材の弛みを取る構成にすることもできる。
【図面の簡単な説明】
【００４２】
【図１】本発明の引戸自閉装置を付設した引戸構造体を引戸の開状態で示す正面図である。
【図２】引戸構造体の要部の分解斜視図である。
【図３】引戸構造体のエアブレーキ位置での縦断面図である。
【図４】引戸自閉装置の分解斜視図である。
【図５】ゼンマイユニットの組立斜視図である。
【図６】ゼンマイユニットの要部の分解斜視図である。
【図７】引戸構造体のゼンマイユニット位置での縦断面図である。
【図８】引戸構造体を引戸の全閉状態で示す正面図である。
【図９】引戸自閉装置の要部の組立斜視図である。
【図１０】引戸構造体を引戸が開閉途中の状態で示す正面図である。
【図１１】引戸構造体を紐状線材の弛み状態で示す正面図である。
【図１２】引戸自閉装置を（Ａ）紐状線材の弛み状態、（Ｂ）弛み解消状態で示す斜視図である。
【図１３】引戸構造体を弛み除去状態で示す正面図である。
【符号の説明】
【００４３】
Ａ              引戸自閉装置
Ｄ              引戸
Ｇ              ガイド部材
Ｌ              スライドレール
Ｐ              ゼンマイユニット
Ｓ              弛み取りばね
Ｘ              開方向
Ｙ              閉方向
１０・１１      縦枠
２５            部品取付手段
２６            取付フレーム
２７            取付ケース
２９            紐状線材
３０            リール
３５            渦巻ばね
３４            ガイド溝
５５            ガイドレール
【図１】
2010037745.tif 000003
【図２】
2010037745.tif 000004
【図３】
2010037745.tif 000005
【図４】
2010037745.tif 000006
【図５】
2010037745.tif 000007
【図６】
2010037745.tif 000008
【図７】
2010037745.tif 000009
【図８】
2010037745.tif 000010
【図９】
2010037745.tif 000011
【図１０】
2010037745.tif 000012
【図１１】
2010037745.tif 000013
【図１２】
2010037745.tif 000014
【図１３】
2010037745.tif 000015